(57)【要約】【課題】筐体に外圧が加わっても、キーシートの弾性を維持しキークリック感を損なうことなく、音響部品の音響特性を良好に維持できる携帯端末を提供する。【解決手段】携帯端末１０は、筐体１１の内部１２に設けられた棚部１３と、棚部１３の表面１３Ａに固定された回路基板１４と、キーシート１７の裏面１７Ａに突設されて接点部１５に接触可能な押し子１８と、キーシート１７の裏面１７Ａに設けられた防水膜２５と、環状の第２粘着部２８と第３粘着部２９とを介して配置された弾性部材２６と、棚部１３の裏面１３Ｂに固定された音響部品３２と、キーシート１７の裏面１７Ａに設けられて棚部１３に突出する凸部２２とを備えている。弾性部材２６が厚み方向に沿って所定量圧縮されると、凸部２２が棚部１３の表面１３Ａに接触する。【選択図】図２
2013207576.tif 000002
【特許請求の範囲】
【請求項１】
筐体と、
前記筐体の内部に設けられ、前記筐体に設けられた開口と略平行に配置された棚部と、
前記棚部に設けられた棚部貫通孔と、
前記棚部における前記開口を向く表面に固定されるとともに前記棚部貫通孔を迂回する回路基板と、
前記回路基板に設けられた接点部と、
前記開口を覆うキーシートと、
前記キーシートにおける前記回路基板側の裏面に突設され、前記接点部に接触可能な押し子と、
前記キーシートにおける前記棚部貫通孔に対応する位置に設けられたキーシート貫通孔と、
前記キーシートの裏面において前記キーシート貫通孔を囲む環状の第１粘着部を介して設けられた防水膜と、
前記防水膜における前記棚部側の裏面に設けられた環状の第２粘着部と、前記棚部の表面に設けられて前記棚部貫通孔を囲む環状の第３粘着部とを介して配置された環状の弾性部材と、
前記棚部における表面とは反対側の裏面に固定され、前記棚部貫通孔、前記防水膜、前記キーシート貫通孔を通じて音響が作用する音響部品と、
前記棚部の表面および前記キーシートの裏面のうちの一方に設けられて他方に突出する凸部と、を備え、
前記弾性部材が厚み方向に沿って所定量圧縮されると、前記凸部が前記棚部の表面および前記キーシートの裏面のうちの他方に接触する携帯端末。
【請求項２】
請求項１に記載の携帯端末であって、
前記棚部の表面に棚部凸部が設けられ、前記キーシートの裏面にキーシート凸部が設けられている携帯端末。
【請求項３】
筐体と、
前記筐体の内部に設けられ、前記筐体に設けられた開口と略平行に配置された棚部と、
前記棚部に設けられた棚部貫通孔と、
前記棚部における前記開口を向く表面に固定されるとともに前記棚部貫通孔を迂回する回路基板と、
前記回路基板に設けられた接点部と、
前記開口を覆うキーシートと、
前記キーシートにおける前記回路基板側の裏面に突設され、前記接点部に接触可能な押し子と、
前記キーシートにおける前記棚部貫通孔に対応する位置に設けられたキーシート貫通孔と、
前記キーシートの裏面において前記キーシート貫通孔を囲む環状の第１粘着部を介して設けられた防水膜と、
前記防水膜における前記棚部側の裏面に設けられた環状の第２粘着部と、前記棚部の表面に設けられて前記棚部貫通孔を囲む環状の第３粘着部とを介して配置された環状の弾性部材と、
前記棚部における表面とは反対側の裏面に固定され、前記棚部貫通孔、前記防水膜、前記キーシート貫通孔を通じて音響が作用する音響部品と、を備え、
前記押し子が、前記弾性部材近傍における前記回路基板の縁部に接触可能な平面形状を有するとともに、
前記弾性部材が厚み方向に沿って所定量圧縮されると、前記押し子が前記回路基板の縁部に接触する携帯端末。
【請求項４】
筐体と、
前記筐体の内部に設けられ、前記筐体に設けられた開口と略平行に配置された棚部と、
前記棚部に設けられた棚部貫通孔と、
前記棚部における前記開口を向く表面に固定されるとともに前記棚部貫通孔を迂回する回路基板と、
前記回路基板に設けられた接点部と、
前記開口を覆うキーシートと、
前記キーシートにおける前記回路基板側の裏面に突設され、前記接点部に接触可能な押し子と、
前記キーシートにおける前記棚部貫通孔に対応する位置に設けられたキーシート貫通孔と、
前記キーシートの裏面において前記キーシート貫通孔を囲む環状の第１粘着部を介して設けられた防水膜と、
前記防水膜における前記棚部側の裏面に設けられた環状の第２粘着部と、前記棚部の表面に設けられて前記棚部貫通孔を囲む環状の第３粘着部とを介して配置された環状の弾性部材と、
前記棚部における表面とは反対側の裏面に固定され、前記棚部貫通孔、前記防水膜、前記キーシート貫通孔を通じて音響が作用する音響部品と、
前記第３粘着部が前記棚部に設けられた凹部に接触している携帯端末。
【請求項５】
筐体と、
前記筐体の内部に設けられ、前記筐体に設けられた開口と略平行に配置された棚部と、
前記棚部に設けられた棚部貫通孔と、
前記棚部における前記開口を向く表面に固定されるとともに前記棚部貫通孔を迂回する回路基板と、
前記回路基板に設けられた接点部と、
前記開口を覆うキーシートと、
前記キーシートにおける前記回路基板側の裏面に突設され、前記接点部に接触可能な押し子と、
前記キーシートにおける前記棚部貫通孔に対応する位置に設けられたキーシート貫通孔と、
前記キーシートの裏面において前記キーシート貫通孔を囲む環状の第１粘着部を介して設けられた防水膜と、
前記防水膜における前記棚部側の裏面に設けられた環状の第２粘着部と、前記棚部の表面に設けられて前記棚部貫通孔を囲む環状の第３粘着部とを介して配置された環状の第１弾性部材と、
前記棚部における表面とは反対側の裏面に固定され、前記棚部貫通孔、前記防水膜、前記キーシート貫通孔を通じて音響が作用する音響部品と、
前記棚部および前記キーシート間に介装された第２弾性部材と、を備える携帯端末。
【請求項６】
請求項５に記載の携帯端末であって、
前記棚部および前記キーシートのうちの一方と、前記第２弾性部材との間に硬質部材が介装された携帯端末。
【請求項７】
筐体と、
前記筐体の内部に設けられ、前記筐体に設けられた開口と略平行に配置された棚部と、
前記棚部に設けられた棚部貫通孔と、
前記棚部における前記開口を向く表面に固定されるとともに前記棚部貫通孔を迂回する回路基板と、
前記回路基板に設けられた接点部と、
前記開口を覆うキーシートと、
前記キーシートにおける前記回路基板側の裏面に突設され、前記接点部に接触可能な押し子と、
前記キーシートにおける前記棚部貫通孔に対応する位置に設けられたキーシート貫通孔と、
前記キーシートの裏面において前記キーシート貫通孔を囲む環状の第１粘着部を介して設けられた防水膜と、
前記防水膜を囲むように、前記キーシートの裏面に設けられた環状の第２粘着部と、前記棚部の表面に設けられて前記棚部貫通孔を囲む環状の第３粘着部とを介して配置された環状の弾性部材と、
前記棚部における表面とは反対側の裏面に固定され、前記棚部貫通孔、前記防水膜、前記キーシート貫通孔を通じて音響が作用する音響部品と、を備える携帯端末。
【発明の詳細な説明】
【技術分野】
【０００１】
本発明は、筐体の内部に音響部品が設けられ、音響部品および音響貫通孔間に防水膜設けられ、音響部品の音響が防水膜や音響貫通孔を通じて筐体の外部に作用する携帯端末に関する。
【背景技術】
【０００２】
図９（Ａ）〜（Ｃ）に示す携帯端末９０は、筐体９１内部に設けられた音響部品（例えば、マイクロフォン）９２を覆うようにキーシート９３が配置されている。
筐体９１は、キーシート９３を配置するために開口が設けられ、開口と略平行に棚部９４が配置されている。
棚部９４には、棚部貫通孔９５が設けられていて、開口を向く表面に回路基板（図示せず）が固定されているとともに、反対側の裏面に音響部品９２が固定されている。回路基板は、複数の接点部を有し、棚部貫通孔９５を迂回する形状となっている。
【０００３】
キーシート９３は、使用者の指で押されることにより局所的に変形可能な軟質シートとされ、棚部貫通孔９５に対応する位置にキーシート貫通孔９６が設けられているとともに、接点部に接触可能な押し子（図示せず）が回路基板側の裏面に突設されている。
キーシート９３の裏面には、キーシート貫通孔９６を囲む環状の第１粘着部９７を介して防水膜９８が設けられている。第１粘着部９７は、例えば防水性を有する両面テープにより形成されている。
【０００４】
防水膜９８における棚部９４側の裏面には環状の第２粘着部９９が設けられ、棚部９４の表面には棚部貫通孔９５を囲む環状の第３粘着部１００が設けられ、第２粘着部９９および第３粘着部１００間には環状の弾性部材１０１が介装されている。弾性部材１０１は、音響部品９２の音パスの遮音や、筐体９１の寸法公差を吸収するために設けられている。第２粘着部９９、第３粘着部１００は、例えば両面テープにより形成されている。
【０００５】
従って、棚部貫通孔９５およびキーシート貫通孔９６は、第１粘着部９７、第２粘着部９９、第３粘着部１００、弾性部材１０１により筒状に連結される。そして、筐体９１の外部の音響は、棚部貫通孔９５、防水膜９８、キーシート貫通孔９６を通じて音響部品９２に伝わる。
防水膜９８は、音響部品９２への水侵入を防止するために設けられており、非防水端末で使用される防塵シートより機密性が高く、かつ、空気振動により振動膜のような動きをする。このため、防水膜９８は、音響特性に影響を与える可能性を避け、振動膜のように振動するため均一性が求められ、縒れ等を抑えた状態で組み込まれる。
【０００６】
このような携帯端末９０は、使用者がキーシート９３の特定箇所を押圧すると、キーシート９３が局所変形することにより、押し子が接点部の接点ドームを変形させて接点部の導通が得られる。
また、図９（Ｂ）に示すように、キーシート貫通孔９６近傍に外圧が加わった場合、弾性部材１０１が軸方向に沿って圧縮変形し、外圧が解除されると、弾性反発力により弾性部材１０１が初期形状に復元する。
図９（Ｃ）に示すように、弾性部材１０１は、軸方向に沿って潰れ切り、それ以上圧縮できなくなる限界、すなわち圧縮限界まで圧縮可能となっている。
【発明の概要】
【発明が解決しようとする課題】
【０００７】
図１０に示すように、このような携帯端末９０は、キーシート貫通孔９６近傍に弾性部材１０１の圧縮限界を超える外圧が加わった場合、第１粘着部９７、第２粘着部９９、第３粘着部１００が圧縮され、第１粘着部９７、第２粘着部９９、第３粘着部１００が内側および外側に拡径するように変形する。
【０００８】
図１１に示すように、第１粘着部９７、第２粘着部９９が変形して一部が防水膜９８に密着してしまった場合は、弾性部材１０１が初期形状に復元するときに防水膜１００に皺や縒れ等が発生し、防水膜１００が均一に振動しなくなることで意図しない共振点が発生し、周波数特性に影響を与える等、音響部品９２の音響特性の変化や劣化を招くことが考えられる。
【０００９】
本発明は、前述した課題を解決するためになされたものであり、その目的は、筐体に外圧が加わっても音響部品の音響特性を良好に維持できる携帯端末を提供することにある。
【課題を解決するための手段】
【００１０】
本発明の携帯端末は、筐体と、前記筐体の内部に設けられ、前記筐体に設けられた開口と略平行に配置された棚部と、前記棚部に設けられた棚部貫通孔と、前記棚部における前記開口を向く表面に固定されるとともに前記棚部貫通孔を迂回する回路基板と、前記回路基板に設けられた接点部と、前記開口を覆うキーシートと、前記キーシートにおける前記回路基板側の裏面に突設され、前記接点部に接触可能な押し子と、前記キーシートにおける前記棚部貫通孔に対応する位置に設けられたキーシート貫通孔と、前記キーシートの裏面において前記キーシート貫通孔を囲む環状の第１粘着部を介して設けられた防水膜と、前記防水膜における前記棚部側の裏面に設けられた環状の第２粘着部と、前記棚部の表面に設けられて前記棚部貫通孔を囲む環状の第３粘着部とを介して配置された環状の弾性部材と、前記棚部における表面とは反対側の裏面に固定され、前記棚部貫通孔、前記防水膜、前記キーシート貫通孔を通じて音響が作用する音響部品と、前記棚部の表面および前記キーシートの裏面のうちの一方に設けられて他方に突出する凸部と、を備え、前記弾性部材が厚み方向に沿って所定量圧縮されると、前記凸部が前記棚部の表面および前記キーシートの裏面のうちの他方に接触する。
【００１１】
ここで、所定量とは、弾性部材が厚み方向に圧縮され始めてから、弾性部材の厚み方向寸法が最小となって、それ以上弾性部材が圧縮されない状態までの量を指すものではなく、弾性部材が厚み方向に圧縮され始めてから、弾性部材の厚み方向寸法が最小となっているか否かに関わらず、第１粘着部および第２粘着部のうちの少なくとも一方が変形を開始するまでの量を指す。
【００１２】
棚部の表面およびキーシートの裏面のうちの一方に凸部を設け、凸部を他方に突出させた。さらに、弾性部材が厚み方向に沿って所定量圧縮されると、凸部が棚部の表面およびキーシートの裏面のうちの他方に接触させるようにした。
よって、凸部がストッパとして機能するため、防水膜に隣接する第１粘着部、第２粘着部が変形することを防ぐことができる。
これにより、キーシートの弾性を維持しキークリック感を損なうことなく、第１粘着部、第２粘着部が変形して防水膜側にはみ出すことを防止できるので音響部品の音響特性を良好に維持できる。
【００１３】
本発明の携帯端末は、前記棚部の表面に棚部凸部が設けられ、前記キーシートの裏面キーシート凸部が設けられている。
【００１４】
よって、弾性部材が厚み方向に沿って所定量圧縮されると、キーシート凸部が棚部凸部に接触させるようにした。
これにより、キーシート凸部および棚部凸部がストッパとして機能するため、防水膜に隣接する第１粘着部、第２粘着部が変形することを防ぐことができる。
従って、第１粘着部、第２粘着部が変形して防水膜側にはみ出すことを防止できるので音響部品の音響特性を良好に維持できる。
【００１５】
本発明の携帯端末は、筐体と、前記筐体の内部に設けられ、前記筐体に設けられた開口と略平行に配置された棚部と、前記棚部に設けられた棚部貫通孔と、前記棚部における前記開口を向く表面に固定されるとともに前記棚部貫通孔を迂回する回路基板と、前記回路基板に設けられた接点部と、前記開口を覆うキーシートと、前記キーシートにおける前記回路基板側の裏面に突設され、前記接点部に接触可能な押し子と、前記キーシートにおける前記棚部貫通孔に対応する位置に設けられたキーシート貫通孔と、前記キーシートの裏面において前記キーシート貫通孔を囲む環状の第１粘着部を介して設けられた防水膜と、前記防水膜における前記棚部側の裏面に設けられた環状の第２粘着部と、前記棚部の表面に設けられて前記棚部貫通孔を囲む環状の第３粘着部とを介して配置された環状の弾性部材と、前記棚部における表面とは反対側の裏面に固定され、前記棚部貫通孔、前記防水膜、前記キーシート貫通孔を通じて音響が作用する音響部品と、を備え、前記押し子が、前記弾性部材近傍における前記回路基板の縁部に接触可能な平面形状を有するとともに、前記弾性部材が厚み方向に沿って所定量圧縮されると、前記押し子が前記回路基板の縁部に接触する。
【００１６】
押し子の平面形状を、弾性部材近傍における回路基板の縁部に接触可能とした。さらに、弾性部材が厚み方向に沿って所定量圧縮されると、押し子を回路基板の縁部に接触させるようにした。
よって、押し子がストッパとして機能するため、防水膜に隣接する第１粘着部、第２粘着部が変形することを防ぐことができる。
これにより、第１粘着部、第２粘着部が変形して防水膜側にはみ出すことを防止できるので音響部品の音響特性を良好に維持できる。
【００１７】
本発明の携帯端末は、筐体と、前記筐体の内部に設けられ、前記筐体に設けられた開口と略平行に配置された棚部と、前記棚部に設けられた棚部貫通孔と、前記棚部における前記開口を向く表面に固定されるとともに前記棚部貫通孔を迂回する回路基板と、前記回路基板に設けられた接点部と、前記開口を覆うキーシートと、前記キーシートにおける前記回路基板側の裏面に突設され、前記接点部に接触可能な押し子と、前記キーシートにおける前記棚部貫通孔に対応する位置に設けられたキーシート貫通孔と、前記キーシートの裏面において前記キーシート貫通孔を囲む環状の第１粘着部を介して設けられた防水膜と、前記防水膜における前記棚部側の裏面に設けられた環状の第２粘着部と、前記棚部の表面に設けられて前記棚部貫通孔を囲む環状の第３粘着部とを介して配置された環状の弾性部材と、前記棚部における表面とは反対側の裏面に固定され、前記棚部貫通孔、前記防水膜、前記キーシート貫通孔を通じて音響が作用する音響部品と、前記第３粘着部が前記棚部に設けられた凹部に接触している。
【００１８】
棚部に凹部を設け、凹部に第３粘着部を接触させた。よって、棚部およびキーシート間の間隔をキートップ操作時のストロークに対して大きく確保できる。
弾性部材が厚み方向に沿って所定量圧縮される前に、キートップ操作時のストロークを確保できる。
よって、防水膜に隣接する第１粘着部、第２粘着部が変形することを防ぐことができる。
これにより、第１粘着部、第２粘着部が変形して防水膜側にはみ出すことを防止できるので音響部品の音響特性を良好に維持できる。
【００１９】
本発明の携帯端末は、筐体と、前記筐体の内部に設けられ、前記筐体に設けられた開口と略平行に配置された棚部と、前記棚部に設けられた棚部貫通孔と、前記棚部における前記開口を向く表面に固定されるとともに前記棚部貫通孔を迂回する回路基板と、前記回路基板に設けられた接点部と、前記開口を覆うキーシートと、前記キーシートにおける前記回路基板側の裏面に突設され、前記接点部に接触可能な押し子と、前記キーシートにおける前記棚部貫通孔に対応する位置に設けられたキーシート貫通孔と、前記キーシートの裏面において前記キーシート貫通孔を囲む環状の第１粘着部を介して設けられた防水膜と、前記防水膜における前記棚部側の裏面に設けられた環状の第２粘着部と、前記棚部の表面に設けられて前記棚部貫通孔を囲む環状の第３粘着部とを介して配置された環状の第１弾性部材と、前記棚部における表面とは反対側の裏面に固定され、前記棚部貫通孔、前記防水膜、前記キーシート貫通孔を通じて音響が作用する音響部品と、前記棚部および前記キーシート間に介装された第２弾性部材と、を備える。
【００２０】
棚部およびキーシート間に第１弾性部材を介装し、さらに第２弾性部材を介装した。第１弾性部材および第２弾性部材を介装することでばね力を高めることができる。
第１弾性部材および第２弾性部材が厚み方向に沿って協働するため、防水膜に隣接する第１粘着部、第２粘着部が変形してはみ出すことを防止でき、音響部品の音響特性を良好に維持できる。
【００２１】
本発明の携帯端末は、前記棚部および前記キーシートのうちの一方と、前記第２弾性部材との間に硬質部材が介装された。
【００２２】
よって、第２弾性部材の厚み寸法を第１弾性部材の厚み寸法に合わせて調整できる。第２弾性部材の厚み寸法を調整することにより、第１弾性部材が所定量圧縮される前に、第２弾性部材を圧縮限界に到達させることができる。
これにより、防水膜に隣接する第１粘着部、第２粘着部が変形することを防ぐことができる。従って、第１粘着部、第２粘着部が変形して防水膜側にはみ出すことを防止できるので音響部品の音響特性を良好に維持できる。
【００２３】
本発明の携帯端末は、筐体と、前記筐体の内部に設けられ、前記筐体に設けられた開口と略平行に配置された棚部と、前記棚部に設けられた棚部貫通孔と、前記棚部における前記開口を向く表面に固定されるとともに前記棚部貫通孔を迂回する回路基板と、前記回路基板に設けられた接点部と、前記開口を覆うキーシートと、前記キーシートにおける前記回路基板側の裏面に突設され、前記接点部に接触可能な押し子と、前記キーシートにおける前記棚部貫通孔に対応する位置に設けられたキーシート貫通孔と、前記キーシートの裏面において前記キーシート貫通孔を囲む環状の第１粘着部を介して設けられた防水膜と、前記防水膜を囲むように、前記キーシートの裏面に設けられた環状の第２粘着部と、前記棚部の表面に設けられて前記棚部貫通孔を囲む環状の第３粘着部とを介して配置された環状の弾性部材と、前記棚部における表面とは反対側の裏面に固定され、前記棚部貫通孔、前記防水膜、前記キーシート貫通孔を通じて音響が作用する音響部品と、を備える。
【００２４】
防水膜を囲むように第２粘着部をキーシートの裏面に設け、棚部の表面に第３粘着部を設け、第２粘着部および第３粘着部間に弾性部材を介装した。
よって、第２粘着部、第３粘着部から防水膜を離すことができる。これにより、弾性部材が所定量圧縮されて第２粘着部、第３粘着部が変形した場合でも、第２粘着部、第３粘着部が防水膜に影響を与える虞がなく、音響部品の音響特性を良好に維持できる。
【発明の効果】
【００２５】
本発明の携帯端末によれば、棚部の表面およびキーシートの裏面のうちの一方に凸部を設け、凸部を他方に突出させることにより、筐体に外圧が加わっても音響部品の音響特性を良好に維持できる。
また、本発明の携帯端末によれば、押し子の平面形状を、弾性部材近傍における回路基板の縁部に接触可能とすることにより、筐体に外圧が加わっても音響部品の音響特性を良好に維持できる。
【００２６】
さらに、本発明の携帯端末によれば、棚部に凹部を設け、凹部に第３粘着部を接触させることにより、筐体に外圧が加わっても音響部品の音響特性を良好に維持できる。
また、本発明の携帯端末によれば、棚部およびキーシート間に第１弾性部材を介装し、さらに第２弾性部材を介装することにより、筐体に外圧が加わっても音響部品の音響特性を良好に維持できる。
さらに、本発明の携帯端末によれば、防水膜から弾性部材を離すことにより、筐体に外圧が加わっても音響部品の音響特性を良好に維持できる。
【図面の簡単な説明】
【００２７】
【図１】本発明に係る第１実施形態の携帯端末を示す分解斜視図
【図２】第１実施形態の携帯端末を示す断面図
【図３】第２実施形態の携帯端末を示す断面図
【図４】第３実施形態の携帯端末を示す断面図
【図５】第４実施形態の携帯端末を示す断面図
【図６】第５実施形態の携帯端末を示す断面図
【図７】第６実施形態の携帯端末を示す断面図
【図８】第７実施形態の携帯端末を示す断面図
【図９】（Ａ）、（Ｂ）、（Ｃ）は従来の携帯端末の要部を示す断面図
【図１０】従来の課題を示す断面図
【図１１】従来の課題を示す断面図
【発明を実施するための形態】
【００２８】
以下、本発明の実施形態に係る携帯端末について図面を参照して説明する。
【００２９】
（第１実施形態）
図１に示すように、携帯端末１０は、略矩形体状に形成された筐体１１と、筐体１１の内部１２に設けられた棚部１３と、棚部１３の表面１３Ａ（図２参照）に設けられた回路基板１４と、回路基板１４に設けられた接点部１５とを備えている。
さらに、携帯端末１０は、筐体１１の開口１１Ｂを覆うキーシート１７と、キーシート１７および棚部１３間に介装された防水膜ユニット２４と、棚部１３の裏面１３Ｂに設けられた音響部品３２とを備えている。
【００３０】
図２に示すように、筐体１１は、略矩形枠状に形成された周壁１１Ａと、周壁１１Ａに設けられて棚部１３と略平行に配置された開口１１Ｂとを備えている。
棚部１３は、開口１１Ｂに対して交差するように貫通された棚部貫通孔１６が設けられている。
回路基板１４は、棚部１３における開口１１Ｂを向く表面１３Ａに固定されるとともに棚部貫通孔１６を迂回するように設けられている。
【００３１】
キーシート１７は、筐体１１に備えた開口１１Ｂの段部に粘着部（両面テープ）２３を介して設けられている。
このキーシート１７は、回路基板１４側の裏面１７Ａに突設されて接点部１５に接触可能な押し子１８と、押し子１８に対応する位置において表面１７Ｂに設けられたキートップ１９とを備えている。
【００３２】
さらに、キーシート１７は、棚部貫通孔１６に対応する位置に設けられたキーシート貫通孔２１と、キーシート１７の裏面１７Ａに設けられて棚部１３に突出する凸部（凸リブ）２２とを備えている。
第１実施形態では、凸部２２を防水膜ユニット２４の外周全域に沿わせて環状に形成する例を示すが、防水膜ユニット２４の外周に沿って部分的に設けることも可能である。
【００３３】
防水膜ユニット２４は、円盤状の防水膜２５と、環状の弾性部材（クッション）２６とを備えている。
防水膜２５は、キーシート１７の裏面１７Ａにおいてキーシート貫通孔２１を囲む環状の第１粘着部２７を介してキーシート１７の裏面１７Ａに設けられている。
防水膜２５は、防水性を有するシートであり、キーシート貫通孔２１からの水侵入を防止するために設けられている。
【００３４】
弾性部材２６は、防水膜２５における棚部１３側の裏面２５Ａに設けられた環状の第２粘着部２８と、棚部１３の表面１３Ａに設けられて棚部貫通孔１６を囲む環状の第３粘着部２９との間に配置されている。
弾性部材２６は、音響部品３２の音パスの遮音や、筐体１１の寸法公差を吸収するために設けられている。
第１粘着部２７、第２粘着部２８および第３粘着部２９は、一例として両面テープが用いられる。
【００３５】
音響部品３２は、棚部１３における表面１３Ａとは反対側の裏面１３Ｂに固定され、棚部貫通孔１６、防水膜２５、キーシート貫通孔２１を通じて音響が作用するマイクロフォンである。
【００３６】
ここで、弾性部材２６および凸部２２の関係について説明する。
すなわち、弾性部材２６が厚み方向に沿って所定量圧縮されると、凸部２２が回路基板１４の表面１４Ａに接触するように凸部２２の突出量が設定されている。
よって、キーシート１７の音孔２１周辺に意図しない外部からの加圧があった際に、またはキーシート１７のキートップ１９を指で押圧して押し子１８を接点部１５に接触させる際に、弾性部材２６が厚み方向に沿って所定量圧縮されると、凸部２２が回路基板１４の表面１４Ａに接触する。
【００３７】
ここで、所定量とは、弾性部材２６が厚み方向に圧縮され始めてから、弾性部材２６の厚み方向寸法が最小となって、それ以上弾性部材２６が圧縮されない状態までの量を指すものではなく、弾性部材２６が厚み方向に圧縮され始めてから、弾性部材２６の厚み方向寸法が最小となっているか否かに関わらず、第１粘着部２７および第２粘着部２８のうちの少なくとも一方が変形を開始するまでの量を指す。
【００３８】
これにより、凸部２２がストッパとして機能するため、防水膜２５に隣接する第１粘着部２７、第２粘着部２８が変形することを防ぐことができる。
従って、第１粘着部２７、第２粘着部２８が変形して、第１粘着部２７および第２粘着部２８としての両面テープののりが防水膜２５側にはみ出すことを防止できるので音響部品３２の音響特性を良好に維持できる。
【００３９】
（第１実施形態の変形例１）
第１実施形態では、凸部２２を回路基板１４の表面１４Ａに接触させる例について説明したが、これに限らないで、凸部２２を棚部１３の表面１３Ａに接触させることも可能である。
【００４０】
また、第１実施形態では、キーシート１７の裏面１７Ａに凸部２２を設けて棚部１３に突出させる例について説明したが、これに限らないで、棚部１３の表面１３Ａに凸部２２を設けてキーシート１７に突出させることも可能である。
変形例１によれば、弾性部材２６が厚み方向に沿って所定量圧縮されると、凸部２２がキーシート１７の裏面１７Ａに接触するように凸部２２の突出量が設定されている。
【００４１】
次に、第２実施形態〜第７実施形態を図３〜図８に基づいて説明する。
なお、第２実施形態〜第７実施形態において第１実施形態の携帯端末１０と同一類似部材については同じ符号を付して説明を省略する。
【００４２】
（第２実施形態）
図３に示すように、第２実施形態の携帯端末４０は、棚部１３の表面１３Ａに棚部凸部４１が設けられ、キーシート１７の裏面１７Ａにキーシート凸部（凸リブ）４２が設けられたもので、その他の構成は第１実施形態の携帯端末１０と同じである。
【００４３】
第２実施形態では、棚部凸部４１およびキーシート凸部４２を防水膜ユニット２４の外周全域に沿わせて環状に形成する例を示すが、防水膜ユニット２４の外周に沿って部分的に設けることも可能である。
棚部凸部４１は、上部に外側に接触フランジ４１Ａを有する。接触フランジ４１Ａは、キーシート凸部４２に接触するように外側に拡径されている。
【００４４】
棚部凸部４１およびキーシート凸部４２の突出量は、弾性部材２６が厚み方向に沿って所定量圧縮されると、キーシート凸部４２が棚部凸部４１に接触させるように設定されている。
よって、キーシート１７のキーシート貫通孔２１周辺に意図しない外部からの加圧があった際に、またはキーシート１７のキートップ１９を指で押圧して押し子１８を接点部１５に接触させる際に、弾性部材２６が厚み方向に沿って所定量圧縮されると、キーシート凸部４２が棚部凸部４１に接触する。
【００４５】
これにより、キーシート凸部４２および棚部凸部４１がストッパとして機能するため、防水膜に隣接する第１粘着部２７、第２粘着部２８が変形することを防ぐことができる。
従って、第１粘着部２７、第２粘着部２８が変形して、第１粘着部２７および第２粘着部２８としての両面テープののりが防水膜２５側にはみ出すことを防止できるので音響部品３２の音響特性を良好に維持できる。
【００４６】
（第２実施形態の変形例１）
第２実施形態では、棚部１３の表面１３Ａに棚部凸部４１を設け、キーシート１７の裏面１７Ａにキーシート凸部４２を設けた例について説明したが、これに限らないで、棚部１３の表面１３Ａに棚部凸部４１のみを設けるように構成することも可能である。
【００４７】
（第３実施形態）
図４に示すように、第３実施形態の携帯端末５０は、押し子５２を防水膜ユニット２４に向けて大きく形成することにより平面形状を有するもので、その他の構成は第１実施形態の携帯端末１０と同じである。
【００４８】
押し子５２に平面形状を有することにより、押し子５２の防水膜ユニット２４（弾性部材２６）近傍に平面形状部５２Ａが形成される。この平面形状部５２Ａを弾性部材２６近傍における回路基板１４の縁部１４Ｂに接触可能とした。
さらに、弾性部材２６が厚み方向に沿って所定量圧縮されると、押し子５２（すなわち、平面形状部５２Ａ）を回路基板１４の縁部１４Ｂに接触させるようにした。
【００４９】
よって、押し子（すなわち、平面形状部５２Ａ）がストッパとして機能するため、防水膜に隣接する第１粘着部２７、第２粘着部２８が変形することを防ぐことができる。
従って、第１粘着部２７、第２粘着部２８が変形して、第１粘着部２７および第２粘着部２８としての両面テープののりが防水膜２５側にはみ出すことを防止できるので音響部品３２の音響特性を良好に維持できる。
【００５０】
（第４実施形態）
図５に示すように、第４実施形態の携帯端末６０は、棚部１３の表面１３Ａに凹部６１を設け、凹部６１に第３粘着部２９を接触させたもので、その他の構成は第１実施形態の携帯端末１０と同じである。
【００５１】
凹部６１は、底部６１Ａが棚部貫通孔１６に対して同軸上で、かつ、筐体１１の開口１１Ｂ（図２参照）と略平行に配置され、周壁６１Ｂが防水膜ユニット２４（弾性部材２６）の外周に沿って円状に形成されている
凹部６１の底部６１Ａに第３粘着部２９が接触されている。
【００５２】
よって、棚部１３およびキーシート１７間の間隔をキートップ１９操作時のストロークに対して大きく確保できる。棚部１３およびキーシート１７間の間隔を大きく確保することにより、弾性部材２６が厚み方向に沿って所定量圧縮されると、意図しない外圧が加わった時やキートップ１９操作時のストロークを確保できる。
【００５３】
これにより、防水膜に隣接する第１粘着部２７、第２粘着部２８が変形することを防ぐことができる。
従って、第１粘着部２７、第２粘着部２８が変形して、第１粘着部２７および第２粘着部２８としての両面テープののりが防水膜２５側にはみ出すことを防止できるので音響部品３２の音響特性を良好に維持できる。
【００５４】
（第４実施形態の変形例１）
第４実施形態では、棚部１３の表面１３Ａに凹部６１を設けた例について説明したが、これに限らないで、棚部１３の表面１３Ａのうち回路基板１４を設ける部位をキーシート１７に向けて肉厚に形成することも可能である。
【００５５】
（第５実施形態）
図６に示すように、第５実施形態の携帯端末７０は、第１弾性部材（クッション）７１および第２弾性部材（クッション）７２を備えたもので、その他の構成は第１実施形態の携帯端末１０と同じである。
【００５６】
第１弾性部材７１は、第１実施形態の弾性部材２６と同一部材である。
第２弾性部材７２は、第１弾性部材７１の外側で、第１弾性部材７１より反発力のある弾性部材であり、かつ棚部１３およびキーシート１７間に介装され、上端が上粘着部７３を介してキーシート１７の裏面１７Ａに接触され、下端が下粘着部７４を介して棚部１３の表面１３Ａに接触されている。
【００５７】
この第２弾性部材７２は、上粘着部７３および下粘着部７４が防水膜２５から離れるように設けられている。
第５実施形態では、第２弾性部材７２を防水膜ユニット２４の外周全域に沿わせて環状に形成する例を示すが、防水膜ユニット２４の外周に沿って部分的に設けることも可能である。
【００５８】
このように、棚部１３およびキーシート１７間に第１弾性部材７１を介装し、さらに第２弾性部材７２を介装することによりばね力を高めることができるので、第１弾性部材７１および第２弾性部材７２が厚み方向に沿って所定量圧縮され難くできる。
よって、防水膜２５に隣接する第１粘着部２７、第２粘着部２８が変形することを防ぐことができる。
従って、第１粘着部２７、第２粘着部２８が変形して、第１粘着部２７および第２粘着部２８としての両面テープののりが防水膜２５側にはみ出すことを防止できるので音響部品３２の音響特性を良好に維持できる。
【００５９】
（第６実施形態）
図７に示すように、第６実施形態の携帯端末８０は、棚部１３および第２弾性部材７２間に硬質部材（マイラー）８１が介装されたもので、その他の構成は第５実施形態の携帯端末７０と同じである。
【００６０】
棚部１３および第２弾性部材７２間に硬質部材８１を介装することにより、第２弾性部材７２の厚み寸法Ｔ１を第１弾性部材７１の厚み寸法Ｔ２に合わせて調整できる。
第２弾性部材７２の厚み寸法Ｔ１を調整することにより、第１弾性部材７１が所定量圧縮される前に、第２弾性部材７２を圧縮限界に到達させることができる。
これにより、防水膜２５に隣接する第１粘着部２７、第２粘着部２８が変形することを防ぐことができる。従って、第１粘着部２７、第２粘着部２８が変形して防水膜２５側にはみ出すことを防止できるので音響部品３２の音響特性を良好に維持できる。
【００６１】
（第６実施形態の変形例１）
第６実施形態では、棚部１３および第２弾性部材７２間に硬質部材８１を介装した例について説明したが、これに限らないで、キーシート１７および第２弾性部材７２間に硬質部材８１を介装することも可能である。
【００６２】
（第７実施形態）
図８に示すように、第７実施形態の携帯端末９０は、防水膜２５を囲むように環状の弾性部材（クッション）９１を設けたもので、その他の構成は第１実施形態の携帯端末１０と同じである。
【００６３】
弾性部材９１は、防水膜２５を囲むように環状に設けられ、環状の第２粘着部９２と環状の第３粘着部９３とを介して配置されている。
第２粘着部９２は、キーシート１７の裏面１７Ａに設けられ、防水膜２５を囲むように環状に形成されている。第３粘着部９３は、棚部１３の表面１３Ａに設けられて棚部貫通孔１６を囲むように環状に形成されている。
【００６４】
このように、防水膜２５を囲むように第２粘着部９２をキーシート１７の裏面１７Ａに設け、棚部１３の表面１３Ａに第３粘着部９３を設け、第２粘着部９２および第３粘着部９３間に弾性部材９１を介装した。
よって、防水膜２５から第２粘着部９２および第３粘着部９３を離すことができる。これにより、弾性部材９１が所定量圧縮されて第２粘着部９２、第３粘着部９３が変形した場合でも、第２粘着部９２、第３粘着部９３が防水膜２５に影響を与える虞がなく、音響部品３２の音響特性を良好に維持できる。
【００６５】
なお、本発明に係る携帯端末は、前述した各実施形態に限定されるものではなく適宜変更、改良等が可能である。
例えば、第１実施形態〜第７実施形態では、スライドタイプの携帯端末に本発明に係る発明を適用した例について説明したが、これに限らないで、折り畳みタイプやストレートタイプの携帯端末に適用することも可能である。
【００６６】
また、第１実施形態〜第７実施形態では、キーシート１７のキートップ１９近傍に音響を通すキーシート貫通孔２１を設けた携帯端末に本発明を適用した例について説明したが、これに限定するものではない。
例えば、キーシート１７以外の比較的変形を許容している部位に、音響を通す貫通孔が設けられた携帯端末に適用することができる。
【００６７】
さらに、第１実施形態〜第７実施形態では、キーシート１７にキートップ１９を備え、キートップ１９を指で押圧して操作する例について説明したが、これに限らないで、キーシート１７をタッチパネルとすることも可能である。
キーシート１７をタッチパネルとした場合でも、第１実施形態〜第７実施形態と同様の効果を得ることができる。
【００６８】
さらに、第１実施形態〜第７実施形態で使用した携帯端末、筐体、棚部、回路基板、接点部、キーシート、押し子、凸部、防水膜、弾性部材、音響部品、棚部凸部、キーシート凸部、平面形状部、凹部、第１弾性部材、第２弾性部材および硬質部材等の形状や構成は例示したものに限定するものではなく適宜変更が可能である。
【産業上の利用可能性】
【００６９】
本発明は、音響部品および音響貫通孔間に防水膜設けられ、音響部品の音響が防水膜や音響貫通孔を通じて筐体の外部に作用する携帯端末への適用に好適である。
【符号の説明】
【００７０】
１０、４０、５０、６０、７０、８０、９０  携帯端末
１１  筐体
１１Ｂ  開口
１２  筐体の内部
１３、５２  棚部
１３Ａ  棚部の表面
１３Ｂ  棚部の裏面
１４  回路基板
１４Ｂ  回路基板の縁部
１５  接点部
１６  棚部貫通孔
１７  キーシート
１７Ａ  キーシートの裏面
１８  押し子
２１  キーシート貫通孔
２２  凸部
２５  防水膜
２５Ａ  防水膜の裏面
２６、９１  弾性部材
２７  第１粘着部
２８、９２  第２粘着部
２９、９３  第３粘着部
３２  音響部品
４１  棚部凸部
４２  キーシート凸部
５２Ａ  平面形状部
６１  凹部
７１  第１弾性部材
７２  第２弾性部材
８１  硬質部材
【図１】
2013207576.tif 000003
【図２】
2013207576.tif 000004
【図３】
2013207576.tif 000005
【図４】
2013207576.tif 000006
【図５】
2013207576.tif 000007
【図６】
2013207576.tif 000008
【図７】
2013207576.tif 000009
【図８】
2013207576.tif 000010
【図９】
2013207576.tif 000011
【図１０】
2013207576.tif 000012
【図１１】
2013207576.tif 000013